(57)【特許請求の範囲】
【請求項１】
デジタル放送を送出するデジタル放送送出システムと、デジタル放送を受信するデジタル放送受信機と、視聴者が番組を視聴したか否かを照合するための照合管理システムと、を備える通信放送連携サービス提供システムにおいて、
前記デジタル放送送出システムは、
番組を一意に特定するために番組毎に付与される識別子であるイベントＩＤを含むデジタル放送番組データを送出する手段、を備え、
前記デジタル放送受信機は、
前記デジタル放送送出システムから送出されたデジタル放送番組データを受信するデジタル放送受信手段と、
前記デジタル放送受信手段により受信したデジタル放送番組データからイベントＩＤを取得し、前記番組の視聴日時に関する視聴日時情報と対応付けて視聴情報記憶手段に記録する視聴情報取得手段と、
前記視聴情報記憶手段に記憶されたイベントＩＤと、当該イベントＩＤに対応付けて前記視聴情報記憶手段に記憶された視聴日時情報と、を含む照合情報を送出する送出手段と、を備え、
前記照合管理システムは、
前記デジタル放送送出システムから送出されたデジタル放送番組データを受信し、当該番組に付与されたイベントＩＤと、前記番組の放送日時に関する放送日時情報とを対応付けて記憶するオンエア情報記憶手段と、
前記デジタル放送受信機から送出された照合情報を受信する通信手段と、
前記通信手段により受信した照合情報に含まれるイベントＩＤ及び視聴日時と、前記オンエア情報記憶手段に記憶されるイベントＩＤ及び放送日時とを比較して、視聴者が前記番組を視聴したか否かを認証する照合手段と、を備え、
前記視聴情報取得手段は、視聴者が視聴者参加型の番組に対してアクションを起こしたときに、当該アクションを起こした日時を前記視聴日時情報としてイベントＩＤに対応付けて記録し、
前記オンエア情報記憶手段に記憶されるイベントＩＤには有効期限が設定され、
前記照合手段は、照合するイベントＩＤが有効期限を越えている場合には、認証不成立とする、
ことを特徴とする、通信放送連携サービス提供システム。
【請求項２】
前記照合管理システムは、
前記照合手段による認証の結果、視聴者が前記番組を視聴したことが認証された場合に、特典に関する情報を送信する特典付与手段を備え、
前記デジタル放送受信機は、
前記特典付与手段により送信された特典に関する情報を受信したとき、当該特典に関する情報を記憶する特典記憶手段を備える、
請求項１記載の通信放送連携サービス提供システム。
【請求項３】
前記通信放送連携システムは、小売店に設置される情報端末装置又は電子商取引サイトを管理する商取引サーバからなる店舗端末をさらに備え、
前記店舗端末は、
前記デジタル放送受信機から送出された前記照合情報を受信し、当該受信した照合情報を前記照合管理システムに送信する手段と、
前記照合管理システムから送信された前記特典に関する情報を受信し、前記デジタル放送受信機に送信する手段と、を備える、
請求項２記載の通信放送連携サービス提供システム。
【請求項４】
前記店舗端末は、
前記照合管理システムから送信された前記特典に関する情報を受信したとき、前記デジタル放送受信機に送信することに換えて、前記デジタル放送受信機の利用者の決済を減額する、
ことを特徴とする請求項３記載の通信放送連携サービスシステム。
【請求項５】
デジタル放送を送出するデジタル放送送出システムと、デジタル放送を受信するデジタル放送受信機と、視聴者が番組を視聴したか否かを照合するための照合管理システムと、を備える通信放送連携サービス提供システムにおいて、視聴者にサービスを提供する方法であって、
前記デジタル放送送出システムが、番組を一意に特定するために番組毎に付与される識別子であるイベントＩＤを含むデジタル放送番組データを送出するステップと、
前記照合管理システムが、前記デジタル放送送出システムから送出されたデジタル放送番組データを受信し、当該番組に付与されたイベントＩＤと、当該イベントＩＤの有効期限と、前記番組の放送日時に関する放送日時情報とを対応付けてオンエア情報記憶手段に記録するステップと、
前記デジタル放送受信機が、前記デジタル放送送出システムから送出されたデジタル放送番組データを受信するステップと、
前記デジタル放送受信機が、受信した前記デジタル放送番組データからイベントＩＤを取得し、前記番組の視聴日時に関する視聴日時情報と対応付けて視聴情報記憶手段に記録するステップと、
前記デジタル放送受信機が、前記視聴情報記憶手段に記憶されたイベントＩＤと、当該イベントＩＤに対応付けて前記視聴情報記憶手段に記憶された視聴日時情報と、を含む照合情報を送出するステップと、
前記照合管理システムが、前記デジタル放送受信機から送出された照合情報を受信するステップと、
前記照合管理システムが、受信した前記照合情報に含まれるイベントＩＤ及び視聴日時と、前記オンエア情報記憶手段に記憶されるイベントＩＤ及び放送日時とを比較して、視聴者が前記番組を視聴したか否かを認証するステップと、
を備え、
前記視聴情報記憶手段に記録するステップは、視聴者が視聴者参加型の番組に対してアクションを起こしたときに、当該アクションを起こした日時を前記視聴日時情報としてイベントＩＤに対応付けて記録し、
前記認証するステップは、照合するイベントＩＤが有効期限を越えている場合には、認証不成立とする、
することを特徴とする、サービス提供方法。
【請求項６】
前記照合管理システムが、前記認証の結果、視聴者が前記番組を視聴したことが認証された場合に、特典に関する情報を送信するステップと、
前記デジタル放送受信機が、前記特典に関する情報を受信したとき、当該特典に関する情報を記憶するステップと、
を備える請求項５記載のサービス提供方法。
【請求項７】
放送中の番組のデジタル放送番組データを受信し、当該番組に付与されたイベントＩＤと、当該イベントＩＤの有効期限と、前記番組の放送日時に関する放送日時情報とを対応付けて記憶するオンエア情報記憶手段と、
デジタル放送受信機から送出された照合情報を受信する通信手段と、
前記通信手段により受信した照合情報に含まれるイベントＩＤ及び視聴日時と、前記オンエア情報記憶手段に記憶されるイベントＩＤ及び放送日時とを比較して、視聴者が前記番組を視聴したか否かを認証する照合手段と、
を備え、
前記照合情報に含まれる視聴日時は、視聴者が視聴者参加型の番組に対してアクションを起こしたときに、当該アクションを起こした日時を前記視聴日時情報として前記デジタル放送受信機に記録されたものであり、
前記照合手段は、照合するイベントＩＤが有効期限を越えている場合には、認証不成立とする、
ことを特徴とする、照合管理システム。
【請求項８】
前記照合手段による認証の結果、視聴者が前記番組を視聴したことが認証された場合に、特典に関する情報を前記デジタル放送受信機に向けて送信する特典付与手段と、
をさらに備える請求項７に記載の照合管理システム。
【請求項９】
前記オンエア情報記憶手段は、
イベントＩＤに対応付けて、さらに、視聴者が前記番組を視聴したか否かを認証する際の条件を規定した照合条件を記憶し、
前記照合手段は、前記照合条件を満たしている場合に、視聴者が前記番組を視聴したものと認証する、
ことを特徴とする請求項７又は８に記載の照合管理システム。
【請求項１０】
前記オンエア情報記憶手段は、
イベントＩＤに対応付けて、さらに、特典の付与に関する情報を規定した特典付与情報を記憶し、
前記特典付与手段は、前記特典付与情報を参照して、視聴者に与える特典を決定する、
ことを特徴とする請求項８記載の照合管理システム。
【請求項１１】
コンピュータの制御によって、視聴者が番組を視聴したことを認証してサービスを提供する方法であって、
放送中の番組のデジタル放送番組データを受信し、当該番組に付与されたイベントＩＤと、当該イベントＩＤの有効期限と、前記番組の放送日時に関する放送日時情報とを対応付けてオンエア情報記憶手段に記憶するステップと、
デジタル放送受信機から送出された照合情報を受信するステップと、
受信した前記照合情報に含まれるイベントＩＤ及び視聴日時と、前記オンエア情報記憶手段に記憶されるイベントＩＤ及び放送日時とを比較して、視聴者が前記番組を視聴したか否かを認証するステップと、
を備え、
前記照合情報に含まれる視聴日時は、視聴者が視聴者参加型の番組に対してアクションを起こしたときに、当該アクションを起こした日時を前記視聴日時情報として前記デジタル放送受信機に記録されたものであり、
前記認証するステップは、照合するイベントＩＤが有効期限を越えている場合には、認証不成立とする、
ることを特徴とする、方法。
【請求項１２】
前記認証の結果、視聴者が前記番組を視聴したことが認証された場合に、特典に関する情報を前記デジタル放送受信機に向けて送信するステップと、
をさらに備える請求項１１記載の方法。
【請求項１３】
請求項１１又は１２のいずれかに記載の方法をコンピュータに実行させるためのプログラム。
【請求項１４】
デジタル放送受信機を構成するコンピュータを、
デジタル放送受信手段により受信したデジタル放送番組データからイベントＩＤを取得し、視聴中の番組の視聴日時に関する視聴日時情報と対応付けて視聴情報記憶手段に記録する視聴情報取得手段、及び
前記視聴情報記憶手段に記憶されたイベントＩＤと、当該イベントＩＤに対応付けて前記視聴情報記憶手段に記憶された視聴日時情報と、を含む照合情報を送出する送出手段、
として機能させるプログラムであって、
前記視聴情報取得手段は、視聴者が視聴者参加型の番組に対してアクションを起こしたときに、当該アクションを起こした日時を前記視聴日時情報としてイベントＩＤに対応付けて記録し、
前記オンエア情報記憶手段に記憶されるイベントＩＤには有効期限が設定され、
前記照合手段は、照合するイベントＩＤが有効期限を越えている場合には、認証不成立とする、ことを特徴とする、プログラム。
【発明の詳細な説明】
【技術分野】
【０００１】
本発明は、デジタル放送を活用した通信放送連携サービスを提供するための情報処理技術に関する。
【背景技術】
【０００２】
近年、デジタル放送が急速に普及している。２００６年４月には、携帯電話等の移動通信機器向けに配信される地上デジタル放送であるワンセグ放送（１セグメント放送）が放送開始されたが、２０１０年のワンセグ携帯普及台数は、２４８２万台（野村総合研究所）とも、３４８０万台（矢野経済研究所）とも予想されている。また、２０１１年７月には、現行のアナログ放送からデジタル放送に完全に移行することが予定されている。
【０００３】
また、近年、ＥｄｙやＳｕｉｃａ等の電子マネーも急速に普及している。例えば、Ｅｄｙは非接触型ＩＣカード等を利用する電子マネーであるが、Ｅｄｙカードの累積発行枚数は、２００６年４月で約１７００万枚、非接触型ＩＣを携帯電話に登載したＥｄｙ利用可能な携帯電話端末（おサイフケータイ）は、２００６年１月で１０００万契約を超えたという（平成１８年版情報通信白書）。
【０００４】
このような背景の下、本出願人は、デジタル放送の特徴を活かしたサービスの実現に向けて、番組が放送されたときに視聴者がリアルタイムに視聴していたか、を照合するためのデジタル放送システムに関する基本技術について、既に特許を取得している（特許文献１）。この特許発明によれば、放送設備と連携したセキュアな情報であるイベントＩＤを利用した認証を行うことにより、実際に特定のテレビ番組を観た視聴者だけに、ポイントサービスやマイレージ、電子クーポンといったデジタルコンテンツ（特典）を提供できるようになる。
【特許文献１】特許第３８４２２８１号公報
【発明の開示】
【発明が解決しようとする課題】
【０００５】
ところで、特許文献１では、デジタル放送システムにおいて、イベントＩＤを利用して特定の番組を視聴したか否かの認証を行うという基本技術を開示している。
【０００６】
そこで、本発明は、上記基本技術をベースに、デジタル放送を活用した通信放送連携サービスの応用技術を提供することを目的とする。本発明に係る幾つかの具体的な態様は、イベントＩＤと視聴日時とを利用して、視聴者が実際に特定のテレビ番組を観たか否かを認証し、ポイントサービスやマイレージ、電子クーポンといった特典を提供するものである。
【課題を解決するための手段】
【０００７】
上記課題を解決するために、本発明による通信放送連携サービス提供システムは、デジタル放送を送出するデジタル放送送出システムと、デジタル放送を受信するデジタル放送受信機と、視聴者が番組を視聴したか否かを照合するための照合管理システムと、を備える。ここで、デジタル放送送出システムは、番組を一意に特定するために番組毎に付与される識別子であるイベントＩＤを含むデジタル放送番組データを送出する手段、を備える。また、デジタル放送受信機は、デジタル放送送出システムから送出されたデジタル放送番組データを受信するデジタル放送受信手段と、デジタル放送受信手段により受信したデジタル放送番組データからイベントＩＤを取得し、番組の視聴日時に関する視聴日時情報と対応付けて視聴情報記憶手段に記録する視聴情報取得手段と、視聴情報記憶手段に記憶されたイベントＩＤと、当該イベントＩＤに対応付けて視聴情報記憶手段に記憶された視聴日時情報と、を含む照合情報を送出する送出手段と、を備える。さらに、照合管理システムは、デジタル放送送出システムから送出されたデジタル放送番組データを受信し、当該番組に付与されたイベントＩＤと、番組の放送日時に関する放送日時情報とを対応付けて記憶するオンエア情報記憶手段と、デジタル放送受信機から送出された照合情報を受信する通信手段と、通信手段により受信した照合情報に含まれるイベントＩＤ及び視聴日時と、オンエア情報記憶手段に記憶されるイベントＩＤ及び放送日時とを比較して、視聴者が番組を視聴したか否かを認証する照合手段と、を備える。
【０００８】
また、照合管理システムは、照合手段による認証の結果、視聴者が番組を視聴したことが認証された場合に、特典に関する情報を送信する特典付与手段を備え、デジタル放送受信機は、特典付与手段により送信された特典に関する情報を受信したとき、当該特典に関する情報を記憶する特典記憶手段を備える、ことが好ましい。
【０００９】
なお、本発明において「特典」とは、主に商取引上の販促手法として消費者等に与えられるインセンティブの総称である。具体的には、ポイントサービス、マイレージ、クーポン等を含む。一般に、「ポイントサービス」とは、使用金額や利用状況等に応じてポイントが加算され、一定のポイント数と引き換えに、景品や割引などの便益を受けられるサービスを含む。「マイレージ」とは、ポイントサービスの一種であり、所定サービス（航空機等）の利用度に応じて各種の便益を受けられるサービスである。また「クーポン」とは、印刷物又は画面上に表示されたクーポン券と引き換えに、景品や割引などの便益を受けられるサービスを含む。
【００１０】
さらに、通信放送連携システムは、小売店に設置される情報端末装置又は電子商取引サイトを管理する商取引サーバからなる店舗端末をさらに備え、店舗端末は、デジタル放送受信機から送出された照合情報を受信し、当該受信した照合情報を照合管理システムに送信する手段と、照合管理システムから送信された特典に関する情報を受信し、デジタル放送受信機に送信する手段と、を備えることが好ましい。
【００１１】
好適には、店舗端末は、照合管理システムから送信された特典に関する情報を受信したとき、デジタル放送受信機に送信することに換えて、デジタル放送受信機の利用者の決済を減額する。
【００１２】
また、本発明によるサービス提供方法は、デジタル放送を送出するデジタル放送送出システムと、デジタル放送を受信するデジタル放送受信機と、視聴者が番組を視聴したか否かを照合するための照合管理システムと、を備える通信放送連携サービス提供システムにおいて、視聴者にサービスを提供する方法であり、デジタル放送送出システムが、番組を一意に特定するために番組毎に付与される識別子であるイベントＩＤを含むデジタル放送番組データを送出するステップと、照合管理システムが、デジタル放送送出システムから送出されたデジタル放送番組データを受信し、当該番組に付与されたイベントＩＤと、番組の放送日時に関する放送日時情報とを対応付けてオンエア情報記憶手段に記録するステップと、デジタル放送受信機が、デジタル放送送出システムから送出されたデジタル放送番組データを受信するステップと、デジタル放送受信機が、受信したデジタル放送番組データからイベントＩＤを取得し、番組の視聴日時に関する視聴日時情報と対応付けて視聴情報記憶手段に記録するステップと、デジタル放送受信機が、視聴情報記憶手段に記憶されたイベントＩＤと、当該イベントＩＤに対応付けて視聴情報記憶手段に記憶された視聴日時情報と、を含む照合情報を送出するステップと、照合管理システムが、デジタル放送受信機から送出された照合情報を受信するステップと、照合管理システムが、受信した照合情報に含まれるイベントＩＤ及び視聴日時と、オンエア情報記憶手段に記憶されるイベントＩＤ及び放送日時とを比較して、視聴者が番組を視聴したか否かを認証するステップと、を備える。
【００１３】
さらに、サービス提供方法は、照合管理システムが、認証の結果、視聴者が番組を視聴したことが認証された場合に、特典に関する情報を送信するステップと、デジタル放送受信機が、特典に関する情報を受信したとき、当該特典に関する情報を記憶するステップと、を備えることが好ましい。
【００１４】
また、本発明による照合管理システムは、放送中の番組のデジタル放送番組データを受信し、当該番組に付与されたイベントＩＤと、番組の放送日時に関する放送日時情報とを対応付けて記憶するオンエア情報記憶手段と、デジタル放送受信機から送出された照合情報を受信する通信手段と、通信手段により受信した照合情報に含まれるイベントＩＤ及び視聴日時と、オンエア情報記憶手段に記憶されるイベントＩＤ及び放送日時とを比較して、視聴者が番組を視聴したか否かを認証する照合手段と、を備える。
【００１５】
さらに、照合手段による認証の結果、視聴者が番組を視聴したことが認証された場合に、特典に関する情報をデジタル放送受信機に向けて送信する特典付与手段と、をさらに備えることが好ましい。
【００１６】
また、好適には、オンエア情報記憶手段は、イベントＩＤに対応付けて、さらに、視聴者が番組を視聴したか否かを認証する際の条件を規定した照合条件を記憶し、照合手段は、照合条件を満たしている場合に、視聴者が番組を視聴したものと認証する。
【００１７】
さらに好適には、オンエア情報記憶手段は、イベントＩＤに対応付けて、さらに、特典の付与に関する情報を規定した特典付与情報を記憶し、特典付与手段は、特典付与情報を参照して、視聴者に与える特典を決定する。
【００１８】
また、本発明によるサービス提供方法は、コンピュータの自律的な制御によって、視聴者が番組を視聴したことを認証してサービスを提供する方法であって、放送中の番組のデジタル放送番組データを受信し、当該番組に付与されたイベントＩＤと、番組の放送日時に関する放送日時情報とを対応付けてオンエア情報記憶手段に記憶するステップと、デジタル放送受信機から送出された照合情報を受信するステップと、受信した照合情報に含まれるイベントＩＤ及び視聴日時と、オンエア情報記憶手段に記憶されるイベントＩＤ及び放送日時とを比較して、視聴者が番組を視聴したか否かを認証するステップと、を備える。
【００１９】
このとき、認証の結果、視聴者が番組を視聴したことが認証された場合に、特典に関する情報をデジタル放送受信機に向けて送信するステップと、をさらに備えることが好ましい。
【００２０】
本発明のプログラムは、本発明のサービス提供方法の各ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００２１】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００２２】
本発明の通信放送連携サービス提供システム及びサービス提供方法によれば、イベントＩＤを活用し、テレビ視聴者にクーポンやポイント等の付加価値を提供可能になる。また、テレビ視聴者が店舗に来店又はＥＣサイトにアクセスしたときに、割引等の特典を得られるシステムを提供可能になる。
【発明を実施するための最良の形態】
【００２３】
以下、本発明の実施の形態について図面を参照しつつ詳細に説明する。なお、同一の要素には同一の符号を付し、重複する説明を省略する。
【００２４】
図１は、本発明の一実施形態に係る通信放送連携サービス提供システム１００の概略構成を示すブロック図である。図１に示すように、通信放送連携サービス提供システム１００は、デジタル放送送出システム１０と、デジタル放送受信機２０と、照合管理システム３０と、を備えて構成される。デジタル放送送出システム１０と照合管理システム３０とは、専用又は公衆の伝送路４０を介して相互に接続可能に構成される。また、デジタル放送受信機２０と照合管理システム３０とは、専用又は公衆の通信回線５０を介して相互に接続可能に構成される。また、コンビニエンスストアや小売店等の店舗に設置される店舗端末６０が通信回線５０に接続可能に構成される。なお、デジタル放送受信機２０は、デジタル放送送出システム１０から送出されるデジタル放送を受信する。
【００２５】
デジタル放送送出システム１０は、いわゆる放送局に対応するものであり、音声データ及び画像（動画）データを含む番組用の映像データに、ＢＭＬ生成サーバ（図示略）から受信したＢＭＬを付加して、デジタル放送番組を送出する機能を有する。なお、ＢＭＬ生成サーバは、データ放送用のページ記述言語であるＢＭＬ（Ｂｒｏａｄｃａｓｔ  Ｍａｒｋｕｐ  Ｌａｎｇｕａｇｅ）に基づいて記述されるＢＭＬコンテンツ（以下、単に「ＢＭＬ」ともいう。）を生成して、データ放送のコンテンツを作成するためのコンピュータ・サーバである。
【００２６】
デジタル放送受信機２０は、デジタル放送送出システム１０の送出したデジタル放送番組を受信して視聴可能な端末装置である。デジタル放送受信機２０の実施例としては、特に、モバイル向けの地上デジタル放送（ワンセグ放送）に対応した携帯電話機等の携帯型端末装置が好ましいが、他にも例えば、ワンセグチューナを備えるパーソナルコンピュータ（ＰＣ）や、デジタル放送受信可能なセットトップボックス（ＳＴＢ）などを適用可能である。また、デジタル放送受信機２０は、必ずしも単一の機器で構成される必要はなく、例えば、デジタル放送受信可能なデジタルテレビと二次元コード読取り機能を有する携帯電話機とからなるものとして捉えてもよい。なお、地上波デジタル受信用チューナを取り付けたアナログ放送受信用テレビを利用してもよい。
【００２７】
照合管理システム３０は、放送された番組のサービスインフォメーション情報（以下「ＳＩ情報」という。）を収集して、その一部又は全部を保管する機能を備えている。好適には、デジタル放送送出システム１０からＳＩ情報を受信する。なお、このＳＩ情報にイベントＩＤが含まれる。また、デジタル放送受信機２０から送信された情報に基づいて、当該デジタル放送受信機２０のユーザ（視聴者）が放送された番組を実際に視聴したか否かを照合し、判断する機能を備えている。
【００２８】
伝送路４０は、放送又は通信により情報を伝送するための伝送路（回線）であり、デジタル放送送出システム１０と照合管理システム３０との間で、デジタル放送番組のＳＩ情報等を伝送可能な回線である。伝送路４０は、例えば、放送網、インターネット、ＬＡＮ、専用線、パケット通信網、電話回線、企業内ネットワーク、その他の放送通信回線、それらの組み合わせ等のいずれであってもよく、有線であるか無線であるかを問わない。
【００２９】
通信回線５０は、デジタル放送受信機２０と照合管理システム３０との間で、デジタル放送番組の視聴を照合するための情報等を送受信可能な通信回線である。通信回線５０は、例えば、インターネット、ＬＡＮ、専用線、パケット通信網、電話回線、企業内ネットワーク、赤外線通信、その他の通信回線、それらの組み合わせ等のいずれであってもよく、有線であるか無線であるかを問わない。
【００３０】
店舗端末６０は、コンビニエンスストアやデパート等の小売店に設置されるコンピュータ端末装置である。例えば、ＰＯＳレジ端末や、コンビニの店頭に設置される多目的情報端末を利用することが想定される。また、電子マネー等を利用するためのリーダ（読取機器）を備えることが好ましい。本実施形態では、デジタル放送受信機２０から情報を取得し、通信回線５０を介して照合管理システム３０と相互に情報をやり取りできるように構成される。
【００３１】
図２は、デジタル放送送出システム１０の概略構成の一例を示すブロック図である。本実施形態では、デジタル放送送出システム１０は、番組情報入力端末１１０と、データサーバ１１２と、ＥＰＧ（電子番組表）生成システム１１４と、多重系装置制御システム１１６と、映像再生開始制御装置１１８と、映像素材（ＶＴＲ、番組バンクやＣＭバンク等の各種バンク、スタジオなど）１２０と、スイッチャー１２２と、ハイビジョン映像符号化装置１２４と、スタンダード映像符号化装置１２６と、多重化装置１２８と、変調器１３０を備えて構成される。なお、各構成要素は、通常のデジタル放送送出設備において知られたものであるので、詳細説明を省略する。
【００３２】
本発明において、視聴者が所定の番組を視聴したか否かを認証するために利用されるイベントＩＤは、番組情報入力端末１１０において自動的に付与される。ここで付与されたイベントＩＤは、データサーバ１１２、ＥＰＧ生成システム１１４、多重化装置１２８、及び変調器１３０を介してデジタル放送信号に変調され、放送される。
【００３３】
図３は、デジタル放送受信機２０の概略構成の一例を示すブロック図である。本実施形態においてデジタル放送受信機２０は、デジタル放送を受信するデジタル放送用アンテナ２１０と、受信したデジタル放送信号を出力手段にて視聴可能な信号に変換するチューナ２１２を備え、チューナ２１２で変換された信号はＴＳデコーダ２１４に送信され、ヘッダ部と映像データとＢＭＬとを取り出す。音声デコーダ２１６は、ＴＳデコーダ２１４がデコードした映像データを復号して音声データを取り出し、スピーカ２１８から音声を出力する。画像デコーダ２２０は、ＴＳデコーダ２１４がデコードした映像データを複合して画像データを取り出し、表示デバイス２２２により動画等の画像を出力する。
【００３４】
また、デジタル放送受信機２０は、デジタル放送受信機２０の動作及び処理を制御するＣＰＵ２２４と、プログラムや必要なデータを格納するＲＯＭ及び／又はＲＡＭ２２６と、ＴＳデコーダ２１４がデコードしたＢＭＬを格納するとともに、ＢＭＬで記述されたコンテンツを再生するＢＭＬブラウザを格納するＮＶＲＡＭ２２８と、ＴＳデコーダ２１４がデコードしたヘッダ部から図示しない受信機制御部を用いてイベントＩＤを取得してＮＶＲＡＭ２２８に送るイベントＩＤ取得部２３０と、照合管理システム３０とデータ通信するための通信インタフェース２３２と、これらを結ぶバス２３４と、データ通信用のアンテナ２３６とを備える。
【００３５】
イベントＩＤとは、デジタル放送においてそれぞれの番組を識別するために、典型的には番組毎にデジタル放送番組に付与される識別子である。このイベントＩＤは、もともと電子番組表（ＥＰＧ）で使用される識別子（イベントＩＤ）を、本発明における番組視聴の認証等の用途に転用することが好ましい。また、イベントＩＤを一つの番組単位で付与する代わりに、番組よりも小さい単位、例えば、番組の中の１コーナーやＣＭ等の単位で、イベントＩＤを付与するようにしても良い。
【００３６】
なお、イベントＩＤ取得部２３０は、専用半導体チップ等のハードウェアにより構成してもよいし、ＲＯＭ等に記憶されたプログラムを実行して所望の機能を実現するソフトウェアにより構成してもよい。
【００３７】
図４は、デジタル放送受信機２０の機能構成の一例を示すブロック図である。デジタル放送受信機２０は、本実施形態における主な構成として、デジタル放送送出システム１０からのデジタル放送を受信するデジタル放送受信手段２５０と、デジタル放送受信機２０の動作全体を制御する制御手段２６０と、必要なデータを記憶するための記憶手段２８０と、照合管理システム３０との間でデータ通信を行うための通信手段２９０と、を備える。制御手段２６０はさらに、デコード手段２６２と、ＢＭＬ読出手段２６４と、視聴情報取得手段２６６と、照合情報送出手段２６８と、特典管理手段２７０とを備える。記憶手段２８０はさらに、特典記憶手段２８２と、視聴情報記憶手段２８４と、を備える。
【００３８】
デジタル放送受信手段２５０は、番組に関する映像データと、データ放送用のコンテンツデータであるＢＭＬと、を含むデジタル放送番組の信号を受信する機能を有する。
【００３９】
デコード手段２６２は、デジタル放送信号をチューナで変換した信号から、ヘッダ部のデータと映像データとＢＭＬとを取り出し、映像データから音声信号と画像信号（動画）とを取り出す機能を有する。ＢＭＬ読出手段２６４は、ＢＭＬを解釈してコンテンツを再生する機能を有するものであり、例えば、ＢＭＬブラウザにより実装される。
【００４０】
視聴情報取得手段２６６は、デジタル放送受信機２０において番組が視聴されたときに、その視聴に関する情報を取得して、視聴情報記憶手段２８４に記憶する機能を有する。視聴に関する情報としては、少なくともイベントＩＤを含む。視聴情報取得手段２６６は、デジタル放送受信機２０が受信したデジタル放送信号から、イベントＩＤを取得して、視聴情報記憶手段２８４に記憶する。このとき、デコード手段２６２により取り出されたヘッダ部に含まれるイベントＩＤを取得することが好ましい。
【００４１】
また、視聴情報取得手段２６６は、デジタル放送受信機２０において番組が視聴されたときに、その視聴日時に関する情報を取得して、視聴中の番組のイベントＩＤに対応付けて視聴情報記憶手段２８４に記憶することが好ましい。このとき、視聴日時は、番組視聴中の所定時間毎に不連続に記録するようにしてもよいし、ある番組を視聴開始した時点から視聴を終えた時点までを記録するようにしてもよい。また、ＢＭＬに視聴日時の取得を指示するコマンドを埋め込んでおき、当該コマンド実行時に視聴日時を記録してもよい。さらに、視聴者参加型の番組の場合、視聴者が番組に対してアクションを起こしたことを契機として、その日時を記録することが好ましい。
【００４２】
なお、視聴情報取得手段２６６は、デジタル放送受信機２０が備える時計（タイマー）機能を利用して、視聴日時を取得することが好ましい。この場合には、録画した番組を視聴すると、実際に視聴した日時（つまり、放送された日時とは異なる）に関する情報が記憶される。また、視聴日時の誤差をほぼゼロに抑えるために、デジタル放送受信機２０は、電波時計用の標準電波を受信して、時計の誤差を自動修正可能であると、さらに好ましい。また、照合条件によっては、ＳＩ情報から放送日時に関する情報を取得し、それを視聴日時とみなすことも可能である。
【００４３】
照合情報送出手段２６８は、視聴情報記憶手段２８４に記録された情報に基づいて、少なくともイベントＩＤを含む照合情報を生成し、外部（照合管理システム３０や店舗端末６０等）に送出する機能を有する。本実施形態では、イベントＩＤと当該イベントＩＤに対応付けて記憶された視聴日時情報とを含む照合情報を生成し、直接又は店舗端末６０を介して、照合管理システム３０に送信する機能を有する。
【００４４】
特典管理手段２７０は、所定の条件を満たした視聴者のみに付与される特典に関するデータを管理・制御する機能を有する。特典とは、例えば、ポイント、マイレージ、クーポン、電子マネー、楽曲、壁紙等のデジタルコンテンツを含む。例えば、視聴者に特典が付与されたとき、その特典に関するデータを特典記憶手段２８２に格納する。また、視聴者が特典を利用する場合には、特典記憶手段２８２から所望の特典を取り出し、特典の内容に応じて、当該特典を表示装置に表示したり、外部にデータを送出したりする。例えば、特典がクーポンであれば、クーポン画像を画面表示させる。また、特典が電子マネーであれば、電子マネーの決済システムに決済情報を送出する。
【００４５】
特典記憶手段２８２は、所定の条件を満たした視聴者のみに付与される特典に関するデータを記録する。特典記憶手段２８２には、照合管理システム３０から受信したポイント等の数量や、クーポン画像等のデータを記録することが好ましい。また、番組放送中に受信したＢＭＬに記述された特典用のコンテンツデータ（例えば、クーポン画像や着信メロディ）を特典記憶手段２８２に格納しておき、所定条件を満たした視聴者のみに当該コンテンツデータを読み出せるようにしてもよい。
【００４６】
視聴情報記憶手段２８４は、視聴者が番組を視聴したときに、その視聴に関する情報を記録する。本実施形態では、視聴情報取得手段２６６が取得したイベントＩＤ及び視聴日時に関する情報を記憶する。このとき、視聴中の番組のイベントＩＤと、その視聴日時とを、対応付けて格納する。
【００４７】
通信手段２９０は、通信回線５０を介して照合管理システム３０に対して情報を送受信可能な通信インタフェースである。通信手段２９０は、例えば、携帯電話機のインターネット接続機能のように、直接通信回線５０を介して照合管理システム３０にアクセスしてもよいし、携帯電話機（デジタル放送受信機２０）の赤外線通信機能を利用して、店舗端末６０に情報を送信し、店舗端末６０から通信回線５０を介して照合管理システム３０にアクセスしてもよい。また、デジタル放送受信機２０の表示装置にＱＲコード等のコード情報を表示させ、このコード情報を店舗端末６０が読み取り、店舗端末６０から通信回線５０を介して照合管理システム３０にアクセスしてもよい。
【００４８】
図５は、照合管理システム３０の構成の一例を示すブロック図である。本実施形態において照合管理システム３０は、デジタル放送送出システム１０から現在放送中の番組に係るデータ放送用のＢＭＬとイベントＩＤを含むＳＩ情報とを受信する受信手段３５０と、照合管理システム３０全体の処理や動作を制御するＣＰＵ等の制御手段３６０と、照合管理システム３０の実行する処理に必要な各種情報を記憶するためのメモリや記憶装置等を含む記憶手段３７０と、デジタル放送受信機２０又は店舗端末６０との間でデータ通信を行うための通信手段３８０と、を備える。また、図示省略するが、情報の入出力を行う入出力手段と、これらの各手段を結ぶバスなどを備える。さらに、制御手段３６０は、オンエア情報取得手段３６２と、照合手段３６４と、特典付与手段３６６と、を備える。記憶手段３７０は、オンエア情報記憶手段３７２を備える。
【００４９】
受信手段３５０は、伝送路４０を介してデジタル放送送出システム１０から情報を受信する機能を有する。通信手段３８０は、通信回線５０を介してデジタル放送受信機２０又は店舗端末６０に対して情報を送受信する機能を有する。
【００５０】
オンエア情報取得手段３６２は、デジタル放送送出システム１０から現在放送中の番組を受信して、放送中の番組に係るイベントＩＤと当該番組の放送日時とを取得して、これらを対応付けてオンエア情報記憶手段３７２に記録する機能を有する。本実施形態においては、デジタル放送送出システム１０から受信したデジタル放送信号のヘッダ部に含まれるＳＩ情報からイベントＩＤを取得する。放送日時は、当該ＳＩ情報に含まれる放送日時情報を利用することが好ましい。また、照合管理システム３０が備える時計（タイマー）機能を利用して放送日時を取得してもよい。
【００５１】
また、照合条件が設定される場合には、照合条件を取得して、オンエア情報記憶手段３７２に番組のイベントＩＤと対応付けて格納する機能を有する。照合条件は、予め照合条件をＢＭＬに埋め込んでおき、放送中の番組のＢＭＬから照合条件を取得してもよいし、スポンサー等が照合条件を番組放送前、放送中、又は放送後に登録できるようにしてもよい。なお、照合条件とは、当該条件を満たした場合にのみ照合クリアとするための条件であり、例えば、番組を２０分以上視聴した場合、視聴者が所定のＣＭを見た場合、視聴者参加型の番組で３回以上アクセスした場合、といった視聴条件を照合条件として設定可能である。
【００５２】
また、照合条件には、イベントＩＤの有効期限を設定することが好ましい。イベントＩＤの有効期限としては、番組放送から２週間というように放送終了後からの期間を設定してもよいし、７月１１日までというように所定の期限日時を設定してもよい。そして、有効期限を越えたイベントＩＤを照合しても、認証不成立とする。
【００５３】
このように、本実施形態では、照合条件として、視聴条件や有効期限等を任意に設定できるので、スポンサーの要望等に応じた種々のサービスやキャンペーンを実行可能である。
【００５４】
さらに、認証に成功したときに、如何なる特典を付与するかを規定した特典付与情報が設定される場合には、特典付与情報を取得して、オンエア情報記憶手段３７２に番組のイベントＩＤと対応付けて格納する機能を有する。特典付与情報も上述の照合条件と同様に、放送中の番組のＢＭＬに埋め込んでおき、ＢＭＬから取得するようにしてもよいし、スポンサー等が特典付与情報を直接登録できるようにしてもよい。なお、特典付与情報には、視聴者の視聴状況に応じて、異なる特典を付与するよう規定してもよい。例えば、視聴時間に応じてポイント数量を決定したり、視聴者参加型の番組であれば、番組への参加状況に応じて異なるクーポンを提供したりすることが想定される。
【００５５】
また、所定の条件を満たした視聴者のみに、所定の特典を付与するようにしてもよい。このとき、オンエア情報取得手段３６２に、照合条件と特典付与情報とを関連付けて格納する。これにより、例えば、連続ドラマを１０回継続して観た視聴者だけに、所定の特典を与えるといったことも可能になる。
【００５６】
照合手段３６４は、デジタル放送受信機２０から送信された照合情報を直接又は店舗端末６０等を介して受信し、当該照合情報に含まれるイベントＩＤ及び視聴日時と、オンエア情報記憶手段３７２に記憶されるイベントＩＤ及び放送日時とを比較して、一致するか否かを照合する機能を有する。また、オンエア情報記憶手段３７２に当該イベントＩＤに対応付けて照合条件が記録されている場合には、イベントＩＤと視聴日時情報の照合に加え、照合条件を満たしているか否かも照合することが好ましい。そして、照合が一致したとき、照合が一致した旨を特典付与手段３６６に渡す。
【００５７】
特典付与手段３６６は、照合手段３６４における照合の結果、照合が一致したとき、すなわち、視聴者が放送された番組を視聴したことが認証されたときに、当該視聴者に対して特典を付与する機能を有する。また、特典付与情報が設定されている場合には、その特典付与情報に基づいて、視聴者に付与される特典を決定する。
【００５８】
オンエア情報記憶手段３７２は、イベントＩＤとその放送日時とを対応付けて記録する。このとき、ある番組が放送されるときに、その放送開始の日時と放送終了の日時とを当該番組のイベントＩＤに対応付けて記録するようにしてもよいし、番組放送中の所定時間毎に不連続に、放送中の番組のイベントＩＤと現在の日時情報とを記録するようにしてもよい。また、照合条件が設定される場合には、イベントＩＤに対応付けて照合条件が記録される。さらに、特典付与情報が設定される場合には、イベントＩＤに対応付けて特典付与情報が記録される。
【００５９】
なお、照合管理システム３０は、専用又は汎用のコンピュータにより実現される。このとき、単一のコンピュータより構成されるものであっても、ネットワーク上に分散した複数のコンピュータより構成されるものであってもよい。また、照合管理システム３０は、ＣＰＵが、メモリまたは外部記憶装置などに記憶された所定のプログラムを実行することにより実現される。
【００６０】
次に、本実施形態における通信放送連携サービス提供システム１００の動作の一例について説明する。ここでは、本通信放送連携サービス提供システム１００を利用して、番組を観た視聴者だけにマイレージのような特典（以下、本実施形態において、照合に成功した視聴者が得られる特典を「ＴＶマイル」という。）を与えるサービスを実現する実施例について説明する。
【００６１】
なお、本実施形態において「ＴＶマイル」とは、ポイントサービスの一種であり、テレビの視聴状況に応じてマイル（マイレージ）が与えられ、一定のマイル数と引き換えに、景品や割引などの便益を受けられるサービスである。このＴＶマイルは、ある特定の番組の視聴者のみに付与されるポイントサービスに限らず、番組のスポンサー等に関わらず、複数の番組を横断して共通に付与されるポイントサービスであることが好ましい。また、好適には、視聴者はＴＶマイルをデジタル放送受信機２０に貯めることができ、所定量のＴＶマイルを、クーポン券、電子マネー、景品、割引等と交換することが可能である。
【００６２】
図６は、通信放送連携サービス提供システム１００を利用して、特定の番組を観た視聴者だけにＴＶマイルを与える処理の流れの一例を示すフローチャートである。
【００６３】
まず事前準備として、視聴者は、デジタル放送受信機２０にＴＶマイルを貯めるためのアプリケーション（以下「ＴＶマイルアプリ」という。）をインストールする。このＴＶマイルアプリは、デジタル放送受信機２０を、視聴情報取得手段２６６、照合情報送出手段２６８、特典管理手段２７０、特典記憶手段２８２、及び視聴情報記憶手段２８４として機能させるためのプログラムである。本実施例では、ＴＶマイルアプリにより、視聴中の番組からイベントＩＤを取得する機能、取得されたイベントＩＤを視聴日時情報と対応付けて記憶する機能、視聴者の指示等に応じてイベントＩＤと視聴日時情報を取り出して外部に送出する機能、認証成功してＴＶマイルを取得した場合に当該ＴＶマイルを貯める機能が実現される。
【００６４】
ＴＶマイルアプリのインストール処理は、例えば、放送局がデジタル放送送出システム１０から予告番組等を放送する際に、番組に関する映像データとともに、ＴＶマイルアプリの配信サイトの位置情報（ＵＲＬ等）のデータを含めて放送する（Ｓ７１）。デジタル放送受信機２０は番組とデータを受信すると、受信したデータからＴＶマイル配信サイトの位置情報を取り出し、視聴者の指示に応じて、当該位置情報で示されるサイトにアクセスし（Ｓ７２）、ＴＶマイルアプリをダウンロードする（Ｓ７３）。こうして、デジタル放送受信機２０は、ＴＶマイルサービスを提供する番組が放送される前に、ＴＶマイルアプリをインストールしておく。
【００６５】
なお、視聴者は、ＴＶマイルアプリを本番番組放送前にデジタル放送受信機２０にインストールしておくことが好ましいが、番組放送中にインストールしても良いことは言うまでもない。また、図６では、ＴＶマイルアプリ配信サーバが照合管理システム３０に含まれるように図示されているが、ＴＶマイルアプリ配信サーバは、照合管理システム３０に含まれるものとする必要はない。また、配信サーバは複数でもよい。例えば、番組のスポンサー等が個別に、ＴＶマイルアプリ配信サーバを立ち上げてもよい。
【００６６】
その後、ＴＶマイルサービスを提供する番組が放送される。照合管理システム３０は、本番の番組放送中（オンエア中）に、デジタル放送送出システム１０からＳＩ情報を受信する。ＳＩ情報の受信は、番組放送時にリアルタイムで受信することが好ましい。そして、受信したＳＩ情報からオンエア中の番組のイベントＩＤを取得し、当該イベントＩＤを放送日時情報と対応付けてオンエア情報記憶手段３７２に格納する（Ｓ７５）。
【００６７】
一方、視聴者は、デジタル放送受信機２０で放送中の番組を受信する。このとき、受信する番組の受信信号には、番組に関する映像データと、ＳＩ情報を含むデータとが含まれる。デジタル放送受信機２０は、番組を受信すると、映像データに基づいて画像・音声を出力するとともに、ＳＩ情報に含まれるイベントＩＤを番組視聴中にリアルタイムで取得して、当該イベントＩＤを視聴日時情報に対応付けて、視聴情報記憶手段２８４に格納する（Ｓ７６）。
【００６８】
また、番組を据え置き型のテレビ等で視聴した場合には、テレビ画面上に二次元コード等のコード情報を表示させ、それを携帯電話機のコード情報リーダー機能を用いて読み取ることによって、イベントＩＤを携帯可能な機器に記録させるようにしてもよい。この場合には、据え置き型のテレビと携帯機器とを合わせたものがデジタル放送受信機２０に相当する。
【００６９】
番組が終わった後、視聴者は、デジタル放送受信機２０を持って所定の店舗に行き、買い物等をして（Ｓ７７）、決済をするとき等に、店舗端末６０を介して少なくともイベントＩＤを含む照合情報を照合管理システム３０に送信して、照合情報の認証が行われる（Ｓ７８）。
【００７０】
ここでは、照合情報として、イベントＩＤと、当該イベントＩＤに対応付けて記録された視聴日時情報とを利用する。店舗端末６０は、デジタル放送受信機２０からイベントＩＤと視聴日時情報とを取得し、これらを照合管理システム３０に送信する。デジタル放送受信機２０に複数のイベントＩＤが記録されている場合には、複数のイベントＩＤの中から所望のものを視聴者が選択して、一のイベントＩＤとその視聴日時情報とを送るようにすることが好ましい。同一のイベントＩＤに対応する視聴日時情報が複数ある場合には、複数の視聴日時情報全てを照合情報に含むことが好ましい。こうすることで、視聴者が番組をいつ観ていたかを、より詳細に認証できるようになる。
【００７１】
また、照合管理システム３０に送信する照合情報には、デジタル放送受信機２０を識別するためのＩＤ情報又は店舗端末６０を識別するためのＩＤ情報を含めてもよい。デジタル放送受信機２０と店舗端末６０との間の情報の送受信は、赤外線通信を用いてもよいし、二次元コード等のコード情報を用いてもよいし、有線のコネクタ接続を用いてもよい。また、店舗端末６０から無線でデジタル放送受信機２０のＩＣチップの読み書きを行ってもよい。
【００７２】
そして、照合管理システム３０は、店舗端末６０を介して受信した照合情報を、オンエア情報記憶手段３７２に蓄積されているオンエア情報と比較照合し、視聴者が番組を視聴したか否かを判断する。具体的には、照合手段３６４が、照合情報に含まれるイベントＩＤに基づいてオンエア情報記憶手段３７２を検索して、当該イベントＩＤに係る番組の放送日時を特定し、照合情報に含まれる視聴日時情報によって示される視聴日時が、この放送日時の範囲内である場合には、認証成功とする。また、当該イベントＩＤに対応付けて照合条件が設定されている場合には、イベントＩＤと視聴日時情報の照合に加え、当該照合条件を満たす場合に、認証成功とする。一方、それ以外の場合、すなわち、照合不成立の場合には、認証失敗とする。
【００７３】
認証成功の場合、照合管理システム３０は、視聴者（すなわち、デジタル放送受信機２０の利用者）に対してＴＶマイルを付与する。このとき、オンエア情報記憶手段３７２にイベントＩＤに対応付けて記憶された特典付与情報に、認証成功したときのＴＶマイルの付与量（以下、単に「マイル」ともいう。）に関する情報が含まれていれば、当該情報に基づいてＴＶマイルの付与マイルを決定する。また、特典付与情報が設定されていなければ、デフォルト値のＴＶマイルを付与する。
【００７４】
照合管理システム３０は、照合情報の認証を終えると、店舗端末６０に認証結果を返す。認証成功の場合には、今回の認証成功によって新たに付与されたＴＶマイルを店舗端末６０に送る。一方、認証失敗の場合には、その旨を店舗端末６０に返す。
【００７５】
店舗端末６０では、認証結果に応じた処理を行う。認証に成功してＴＶマイルが付与された場合、視聴者は、ＴＶマイルを貯めるか、或いは、すぐに使うかを選択する。ＴＶマイルを貯める場合には、今回付与されたマイルをデジタル放送受信機２０に送り、特典記憶手段２８２に当該マイルを追加記録する。また、ＴＶマイルを使う場合には、付与されたマイルに応じて減額した上で、決済を実行する。一方、認証失敗の場合には、通常どおり決済を実行すればよい。
【００７６】
図７は、通信放送連携サービス提供システム１００を利用して、番組を観た視聴者だけにＴＶマイルを与える処理の流れの別の一例を示すフローチャートである。
【００７７】
まず事前準備として、デジタル放送受信機２０にＴＶマイルアプリのインストールが必要であるが、これは先の実施例におけるステップＳ７１からステップＳ７３までと同様である。
【００７８】
その後、ＴＶマイルサービスを提供する番組が放送され。番組放送中に、照合管理システム３０は放送中の番組のＳＩ情報を受信し、デジタル放送受信機２０では放送中の番組のイベントＩＤを取得するが、これも先の実施例におけるステップＳ７５及びステップＳ７６と同様である。
【００７９】
そして、この実施例では、番組視聴中または番組終了後に、デジタル放送受信機２０から照合管理システム３０に照合情報が送信される。照合管理システム３０は照合情報を受信すると、照合情報に含まれるイベントＩＤに基づいて、視聴者が所定の番組を視聴したか否かを認証する（Ｓ８１）。
【００８０】
なお、照合情報は先の実施例と同様に、少なくともイベントＩＤを含むが、本実施例では、イベントＩＤと視聴日時情報とを含む。そして、照合管理システム３０の照合手段３６４は、これらの情報をオンエア情報記憶手段３７２に記録された情報と突き合わせて、視聴者が番組を視聴したか否かを判断する。照合条件が設定されている場合には、イベントＩＤと視聴日時情報の照合に加え、照合条件を満たすか否かを判断する。
【００８１】
照合管理システム３０は、認証成功の場合、特典付与情報に基づいて所定量のＴＶマイルを付与するが、本実施例ではさらに、ＴＶマイルと電子マネーとの交換比率を定めたテーブルを参照して、ＴＶマイルを電子マネーに交換する。そして、電子マネーをデジタル放送受信機２０に送信する（Ｓ８２）。なお、特典付与情報として、電子マネーを付与することを規定しておき、認証が成功した場合に始めから電子マネーを付与するようにしてもよい。
【００８２】
デジタル放送受信機２０は、照合管理システム３０から電子マネーを受信すると、当該電子マネーを特典記憶手段２８２に記録する。また、「おサイフケータイ」などのように、デジタル放送受信機２０が電子マネー機能を予め備えている場合には、当該電子マネー機能側のＩＣチップに、照合管理システム３０から受け取った電子マネーを貯めるようにすることが好ましい。
【００８３】
その後、視聴者は、特典として得られた電子マネーを自由に利用することができる（Ｓ８３）。例えば、所定の店舗で買い物をしたときに、番組を視聴した結果得られた電子マネーを利用して決済をすることができる。
【００８４】
なお、上記実施形態では、店舗端末６０として、小売店等の実店舗に設置される端末装置を想定して説明したが、インターネット上のネットショップやオークションサイト等のＥＣサイトを管理するサーバ装置を想定することもできる。この場合、視聴者は、番組を観ている最中、又は、観た後に、デジタル放送受信機２０を用いて所定のＥＣサイトにアクセスする。ＥＣサイトはデジタル放送受信機２０から受け取った照合情報を照合管理システム３０に送信し、視聴者が本当に番組を視聴したか否かを確認し、認証成功した場合に、特典を与えることができるようになる。
【００８５】
図８は、通信放送連携サービス提供システム１００を利用して、番組を観た視聴者だけにクーポンを与える処理の流れの一例を示すフローチャートである。
【００８６】
まず、視聴者がテレビ番組を視聴すると、デジタル放送受信機２０に当該番組のイベントＩＤを含む視聴情報が蓄積される（Ｓ９１）。視聴者は、好きな時間に照合管理システム３０にアクセスし、クーポンを入手する（Ｓ９２）。このとき、照合管理システム３０は、デジタル放送受信機２０から受け取った照合情報に基づいて、番組を視聴したか否かを認証し、認証成功したのみクーポンを発行し、視聴者のデジタル放送受信機２０に当該クーポンの情報を送信することが好ましい。クーポンの情報としては、クーポン画像及びクーポンの識別ＩＤを含み、これらの情報は、特典記憶手段２８２に格納される。そして、視聴者の指示に基づいて、デジタル放送受信機２０は、特典記憶手段２８２から読み出したクーポン画像を画面に表示する。なお、照合管理システム３０は、認証成功したときに、まずは視聴者にＴＶマイルを付与し、その後、所定量のマイルと引き換えに、クーポンを発行してもよい。
【００８７】
その後、視聴者は、クーポンを利用可能な店舗に来店、又は、ＥＣサイトにアクセスして、当該クーポンを利用して決済を行う（Ｓ９３）。このとき、視聴者が使用するクーポンの有効性が確認される。有効性の確認は、デジタル放送受信機２０の画面に表示されたクーポン画像を店員等が目視確認して有効性を確認してもよいが、照合管理システム３０がクーポンの有効性を確認することが好ましい。具体的には、店舗端末６０は、デジタル放送受信機２０からクーポンの識別ＩＤを受信し、この識別ＩＤを照合管理システム３０に送信して、当該識別ＩＤに基づいてクーポンの有効性を確認する（Ｓ９４）。そして、クーポンが有効な場合には、クーポンに規定された割引率等に従って決済が実行される。
【００８８】
以上のとおり、本発明によれば、イベントＩＤと視聴日時情報を活用して、視聴者が番組を観たか否かを照合可能なシステムを提供できる。イベントＩＤはデジタル放送に埋め込まれるため、少なくともデジタル放送の運用規定に定められる以上のセキュリティを備えている。そのようなセキュリティ性の高い情報を活用するため、番組を視聴したか否かの判断を確実に行うことができる。
【００８９】
また、本実施形態によれば、テレビ視聴者に、ポイントサービスやマイレージ、クーポン等の付加価値を提供できるという効果を奏する。これにより、テレビ視聴者が店舗に来店又はＥＣサイトにアクセスしたときに、割引等のプレミアムを得られるシステムを提供可能になる。これにより、テレビ番組をマーケティングに活用でき、店舗への来店やＥＣサイトへのアクセスを促すことが可能になるため、商取引の活性化につながる。
【００９０】
さらに、視聴条件や有効期限等の照合条件を設定することにより、スポンサーは所望の条件で種々のキャンペーンを展開することが可能になる。
【００９１】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００９２】
また、本実施形態において、一つ一つのＣＭ単位でイベントＩＤを付与するようにすれば、所定のＣＭを実際に観たか否かによってＴＶマイル等の特典を付与することが可能になる。
【００９３】
さらに、放送中の番組のＢＭＬにイベントＩＤの有効期限が記述されているとき、デジタル放送受信機２０は、視聴情報記憶手段２８４にイベントＩＤを記録する際に、当該イベントＩＤの有効期限の情報も対応付けて記録することが好ましい。そして、未照合のイベントＩＤの有効期限が近づいてきたとき、デジタル放送受信機２０の表示画面に、有効期限が近い旨のリマインドを表示するとよい。
【図面の簡単な説明】
【００９４】
【図１】通信放送連携サービス提供システム１００の概略構成を示すブロック図である。
【図２】デジタル放送送出システム１０の概略構成の一例を示すブロック図である。
【図３】デジタル放送受信機２０の概略構成の一例を示すブロック図である。
【図４】デジタル放送受信機２０の機能構成の一例を示すブロック図である。
【図５】照合管理システム３０の構成の一例を示すブロック図である。
【図６】通信放送連携サービス提供システム１００を利用して、番組を観た視聴者だけにＴＶマイルを与える処理の流れの一例を示すフローチャートである。
【図７】通信放送連携サービス提供システム１００を利用して、番組を観た視聴者だけにＴＶマイルを与える処理の流れの別の一例を示すフローチャートである。
【図８】通信放送連携サービス提供システム１００を利用して、番組を観た視聴者だけにクーポンを与える処理の流れの一例を示すフローチャートである。
【符号の説明】
【００９５】
１０   デジタル放送送出システム
２０   デジタル放送受信機
３０   照合管理システム
４０   伝送路
５０   通信回線
６０   店舗端末
１００ 通信放送連携サービス提供システム
２５０ デジタル放送受信手段
２６０ 制御手段
２６２ デコード手段
２６４ ＢＭＬ読出手段
２６６ 視聴情報取得手段
２６８ 照合情報送出手段
２７０ 特典管理手段
２８０ 記憶手段
２８２ 特典記憶手段
２８４ 視聴情報記憶手段
２９０ 通信手段（送出手段）
３５０ 受信手段
３６０ 制御手段
３６２ オンエア情報取得手段
３６４ 照合手段
３６６ 特典付与手段
３７０ 記憶手段
３７２ オンエア情報記憶手段
３８０ 通信手段
【要約】
【課題】デジタル放送のイベントＩＤを活用して、視聴者が実際にテレビ番組を観たか否かを認証し、番組を観た視聴者に対してＴＶマイル等の特典を提供する。
【解決手段】放送された番組に付与されたイベントＩＤと、番組の放送日時に関する放送日時情報とを対応付けて照合管理システム３０の記憶手段３７２に記録しておき、デジタル放送受信機２０から受信した照合情報に含まれるイベントＩＤ及び視聴日時と、記憶手段３７２に記憶されるイベントＩＤ及び放送日時とを比較して、視聴者が番組を視聴したか否かを認証する。そして、認証に成功した場合に、ＴＶマイル等の特典を視聴者に提供する。
【選択図】図６【図１】
0004087889.tif 000002
【図２】
0004087889.tif 000003
【図３】
0004087889.tif 000004
【図４】
0004087889.tif 000005
【図５】
0004087889.tif 000006
【図６】
0004087889.tif 000007
【図７】
0004087889.tif 000008
【図８】
0004087889.tif 000009